(57)【特許請求の範囲】
【請求項１】
貯蔵室の前面開口部の左右両側に回動自在に枢支されて前記開口部を閉塞する左右一対の観音開き式扉と、
前記観音開き式扉のうちの一方の扉の反枢支側に取り付けられ、開閉扉動作に応じて回動することで前記観音開き式扉の間を閉塞する縦仕切り体と、
を備える冷蔵庫において、
前記縦仕切り体の内部に断熱部材が収納され、
前記縦仕切り体の前壁の裏面にヒータ線が配され、
前記断熱部材の両側面に右収納凹部と左収納凹部がそれぞれ設けられ、
２本のリード線とそれぞれ接続される前記ヒータ線の両端部が、前記前壁の裏面から離間した状態で前記断熱部材の前記右収納凹部と前記左収納凹部にそれぞれ収納されている、
ことを特徴とする冷蔵庫。
【請求項２】
前記ヒータ線の一部も前記断熱部材に支持されている、
ことを特徴とする請求項１に記載の冷蔵庫。
【請求項３】
前記ヒータ線が、前記縦仕切り体の前壁の裏面の四周部に沿って周回した状態で配されている、
ことを特徴とする請求項１又は２に記載の冷蔵庫。
【請求項４】
前記ヒータ線を前記前壁の裏面にＳ字状又は逆Ｓ字状に配することにより、前記ヒータ線が前記前壁の裏面の上部と下部に配され、かつ、並列して配されている、
ことを特徴とする請求項３に記載の冷蔵庫。
【請求項５】
前記断熱部材の後面に後面収納凹部が形成され、
２本の前記リード線と前記ヒータ線の両端部とをそれぞれ接続する２個の接続部が、前記後面収納凹部に収納されている、
ことを特徴とする請求項１乃至４のいずれか一項に記載の冷蔵庫。
【請求項６】
２個の前記接続部は、近傍に配されている、
ことを特徴とする請求項５に記載の冷蔵庫。
【請求項７】
２個の前記接続部は、離間して配され、
前記ヒータ線の両端部の間に前記リード線の一部が配され、
前記リード線の一部に保護手段が設けられている、
ことを特徴とする請求項６に記載の冷蔵庫。
【請求項８】
２個の前記接続部は、前記断熱部材の上下に並べて配されている、
ことを特徴とする請求項７に記載の冷蔵庫。
【請求項９】
前記ヒータ線の両端部にそれぞれ接続された２本の前記リード線は、前記縦仕切り板に開口した一つの引き出し孔から外部に引き出されている、
ことを特徴とする請求項１乃至８のいずれか一項に記載の冷蔵庫。
【発明の詳細な説明】
【技術分野】
【０００１】
本発明の実施形態は、観音開き式扉を有する冷蔵庫に関するものである。
【背景技術】
【０００２】
従来より、冷蔵室の左右両側部に設けたヒンジに、左右一対の観音開き式扉を回動自在に枢支して、冷蔵室を閉塞する冷蔵庫が提案されている。
【０００３】
この冷蔵庫においては、左右一対の観音開き式扉の隙間を埋めるために、一方の扉の反枢支側の裏面に回動式の縦仕切り体が設けられている。
【先行技術文献】
【特許文献】
【０００４】
【特許文献１】特開２００９−２５０６０２号公報
【発明の概要】
【発明が解決しようとする課題】
【０００５】
上記縦仕切り体においても、防露のためにヒータ線が埋設されている。しかし、このヒータ線には、扉内部から引き出されたリード線との接続部が必要であり、ヒータ線と接続部を縦仕切り体の裏面に取り付けた場合、この接続部の部分は加熱されないため、その分だけ熱伝導が少なくなる。そのため、防露性能の確保のために、ヒータ線に対する通電率を上げなればならないという問題点があった。
【０００６】
そこで、本発明は上記問題点に鑑み、ヒータ線の通電率を上げることなく、防露性能を確保できる冷蔵庫を提供する。
【課題を解決するための手段】
【０００７】
本発明の実施形態は、貯蔵室の前面開口部の左右両側に回動自在に枢支されて前記開口部を閉塞する左右一対の観音開き式扉と、前記観音開き式扉のうちの一方の扉の反枢支側に取り付けられ、開閉扉動作に応じて回動することで前記観音開き式扉の間を閉塞する縦仕切り体と、を備える冷蔵庫において、前記縦仕切り体の内部に断熱部材が収納され、前記縦仕切り体の前壁の裏面にヒータ線が配され、前記断熱部材の両側面に右収納凹部と左収納凹部がそれぞれ設けられ、２本のリード線と接続される前記ヒータ線の両端部が、前記前壁の裏面から離間した状態で前記断熱部材の前記右収納凹部と前記左収納凹部にそれぞれ収納されている、ことを特徴とする冷蔵庫である。
【図面の簡単な説明】
【０００８】
【図１】本発明の実施例の冷蔵庫の観音開き式扉を開いた状態の正面図である。
【図２】冷蔵室の上面から見た説明図である。
【図３】縦仕切り体の分解斜視図であって、本体のみを分解した状態である。
【図４】縦仕切り体の分解斜視図であり、前壁、熱伝導板、ヒータ線、断滅部材を分解した状態である。
【図５】本体を取り除いた状態の縦仕切り体の背面図である。
【図６】図５におけるＡ−Ａ線断面図である。
【図７】ヒータ線を前壁に配した状態の説明図である。
【図８】接続部を断熱部材の後面に取り付けた状態の拡大背面図である。
【発明を実施するための形態】
【０００９】
以下、本発明の一実施例に係る冷蔵庫１０について、図１〜図６に基づいて説明する。
【００１０】
（１）冷蔵庫１０の全体の構造
図１に示すように、冷蔵庫１０のキャビネット１１には、上段より、冷蔵室１２、製氷室１４、野菜室１８、冷凍室２０が配され、製氷室１４の側方に温度切替室１６が配されている。
【００１１】
冷蔵室１２の前面開口部には、左右一対の観音開き式の左扉２４及び右扉２６が設けられている。
【００１２】
製氷室１４、温度切替室１６、野菜室１８及び冷凍室２０には、それぞれ引出し式の扉が設けられている。
【００１３】
（２）左右一対の扉２４，２６の構造
左右一対の観音開き式の扉２４，２６について説明する。
【００１４】
図１に示すように、左右一対の観音開き式の扉２４，２６は、キャビネット１１の左右両側部に設けたヒンジ２２，２２で回動自在に枢支されている。左右一対の扉２４，２６の裏面周縁部には、内部にマグネットを備えたガスケット２８が全周縁に渡って額縁状に取り付けられている。
【００１５】
図２に示すように、左扉２４の枢支側に対向する反枢支側（図２において、右側）の裏面には、上下方向に沿って延びた縦仕切り体３０が、左扉２４の右端部にあるヒンジ７８によって回動自在に取り付けられている。縦仕切り体３０は、左扉２４を開いた状態では、左扉２４の正面にほぼ垂直な姿勢となり、左扉２４を閉じた状態では、図２に示すようにほぼ平行な姿勢となり、右扉２６との間の隙間を閉塞する。
【００１６】
（３）縦仕切り体３０の構造
縦仕切り体３０の構造について、図３〜図６に基づいて説明する。
【００１７】
縦仕切り体３０は、縦仕切り体３０の前部を構成する合成樹脂製の前壁３２と、両側部及び後部を構成する箱型の合成樹脂製の本体３４とから構成されている。この前壁３２と本体３４との間には、ブチル板よりなる熱伝導板３６、発泡ウレタンなどよりなるほぼ直方体状の断熱部材３８が前方から順番に収納されている。また、熱伝導板３６と断熱部材３８との間には、防露機能を確保するためのヒータ線４０が挟まれている。以下、ヒータ線４０の取り付け構造について説明する。
【００１８】
ヒータ線４０は、図７に示すように、縦仕切り体３０の前壁３２の上部から下部までＳ字状に周回するように配されている。具体的には、前壁３２の裏面のほぼ中央部において、ヒータ線４０の一端が取り付けられ、次に前壁３２の最上部まで前壁３２の一側部に沿って配され、次に前壁３２の最上部で下方に屈曲され、次に、上方に向かうヒータ線４０と並列（２列）になるように前壁３２の他側部に沿って下方に配され、次に、前壁３２の中央部で一側部から他側部になるように斜めに配され、次に、前壁３２の一側部に沿って下方に配され、次に、前壁３２の最下部で屈曲され、次に、下方に向かうヒータ線４０と並列（２列）になるように前壁３２の他側部に沿って上方に配され、最後に再び前壁３２の中央部に至る。Ｓ字状に配されたヒータ線４０は、熱伝導を良くするためにアルミ箔７４によって板状に覆われて、保護されている。なお、ヒータ線４０の配線は、上記とは左右対称の逆Ｓ字状に配しても良い。
【００１９】
図７において、断熱部材３８の左側面から引き出されたヒータ線４０の一端部４０ａは、第１接続部４２を介して第１リード線４４と接続される。また、同じく、断熱部材３８の右側面から引き出されたヒータ線４０の他端部４０ｂは、第２接続部４６を介して第２リード線４８と接続される。
【００２０】
図８に示すように、第１接続部４２は、合成樹脂製のチューブ状の部材であって、第１接続部４２の一方にヒータ線４０の一端部４０ａが挿入され、他方に第１リード線４４が挿入される。ヒータ線４０の一端部４０ａは、断熱部材３８の左側面に形成された溝状の左収納凹部５０に収納され、かつ、支持された状態で断熱部材３８の後面に回り、その後に上方に折曲され、第１接続部４２と接続される。第１接続部４２は、断熱部材３８の後面に上下方向に形成された後収納凹部５２に収納される。なお、図８において、ヒータ線４０の一端部４０ａを保護するためのアルミ箔７４の記載は、簡単のために省略している。
【００２１】
図８に示すように、第２接続部４６は、合成樹脂製のチューブ状の部材であって、第２接続部４６の一方にヒータ線４０の他端部４０ｂが挿入され、他方に第２リード線４８が挿入される。ヒータ線４０の他端部４０ｂは、断熱部材３８の右側面に形成された溝状の右収納凹部５４に収納され、かつ、支持された状態で断熱部材３８の後面に至り、その後に下方に折曲され、第２接続部４６と接続される。第２接続部４６は、後収納凹部５２に収納される。なお、図８において、ヒータ線４０の一端部４０ｂを保護するためのアルミ箔７４の記載は、簡単のために省略している。
【００２２】
第１接続部４２に接続された第１リード線４４は、そのまま断熱部材３８の上部に至り、左扉２４と接続するためのリード線固定部材６２に至る。一方、第２接続部４６に接続された第２リード線４８は上方に屈曲され、第１接続部４２と第２接続部４６の間を通って上方に至りリード線固定部材６２に接続される。第２リード線４８は、第１接続部４２と第２接続部４６との間に配されている部分にのみ、ヒータ線４０を保護するための合成樹脂製のチューブ状の保護部材５８が被せられている。
【００２３】
また、断熱部材３８の両側面には、本体３４の内面に設けられた複数の係合爪と係合する係合凹部７０が形成されている。
【００２４】
リード線固定部材６２で束ねられた第１リード線４４と第２リード線４８とは、リード線固定部材６２を経て、リード線固定部材６２から引き出され、その先端にコネクター７６が取り付けられている。
【００２５】
（４）縦仕切り体３０の組み立て
次に、縦仕切り体３０の組み立て方法について説明する。
【００２６】
図４に示すように、まず、前壁３２の裏面に熱伝導板３６を取り付ける。
【００２７】
次に、図７に示すように、熱伝導板３６の裏面にアルミ箔７４を被せたＳ字状のヒータ線４０を配する。
【００２８】
次に、前壁３２の裏側に断熱部材３８を収納する。この場合に、ヒータ線４０の両端部４０ａ、４０ｂを左右収納凹部５０，５４に収納する。
【００２９】
次に、断熱部材３８の後面にあるヒータ線４０に両端部４０ａ、４０ｂにそれぞれ接続部４２，４６を介してリード線４４，４８を接続する。
【００３０】
次に、図５，図６、図８に示すように、断熱部材３８の後収納凹部５２に接続部４２，４６を収納して、接続部４２，４６の間に保護部材５８を被せた第２リード線４８を配する。
【００３１】
次に、図３に示すように、ヒータ線４０が配線された前壁３２、熱伝導板３６、断熱部材３８に、箱状の本体３４を被せる。この場合に、第１リード線４４と第２リード線４８とは、本体３４の一側面の上部に開口した一つの引き出し孔７２が引き出す。また、本体３４の内面に設けられた複数の係合爪を、断熱部材３８の両側面には設けられた複数の係合凹部７０に係合する。
【００３２】
次に、図３に示すように、本体３４を被せた後、上下一対のヒンジ３２，３２が回動可能に接続できるヒンジ上支持部６４とヒンジ下支持部６６をネジによって本体３４の上部と下部に取り付ける。
【００３３】
次に、左扉２４にある上下一対のヒンジ３２，３２にヒンジ上支持部６４とヒンジ下支持部６６を嵌合する。この場合に、下のヒンジ３２に挿入され、縦仕切り体３０を左扉２４と平行に付勢するコイル状のバネ６８を、ヒンジ下支持部６６に取り付ける。
【００３４】
次に、リード線固定部材６２を、左扉２４の右側部に固定し、また、コネクタ７６は左扉２４内部にあって、ヒータ線４０の電源供給源に繋がる電気的接続部に接続する。
【００３５】
（５）効果
本実施例によれば、縦仕切り体３０の前壁３２の裏面の上部から下部にわたりＳ字状にヒータ線４０が配されると共に、ヒータ線４０の一端部４０ａと他端部４０ｂとが断熱部材３８の左右両側壁に設けられた左収納凹部５０と右収納凹部５４まで延びている。そのため、ヒータ線４０を前壁３２に省スペースで配することができ、かつ、前壁３２を上部から下部まで満遍なく加熱でき、防露性能を確保できる。そのため、ヒータ線４０に対する通電率を従来より下げることができ、省エネルギーとなる。
【００３６】
また、ヒータ線４０の一端部４０ａと他端部４０ｂとを断熱部材３８の側壁から後面に回して取り付け後収納凹部５２に収納するため、縦仕切り体３０のサイズを小さくすることができ、組み立て作業が向上する。
【００３７】
また、ヒータ線４０の一端部４０ａと他端部４０ｂとが断熱部材３８の両側面にある左収納凹部５０と右収納凹部５４に収納されているため、縦仕切り体３０のサイズを小さくすることができ、また、両端部４０ａ、４０ｂを確実に固定できると共にその組み立て作業が容易となる。
【００３８】
断熱部材３８の後に引き回されたヒータ線４０の両端部４０ａ，４０ｂは、それぞれ第１接続部４２と第２接続部４６とによって第１リード線４４と第２リード線４８に接続されるため、この接続作業が断熱部材３８の後面で行うことができ、その組み立て作業が容易となる。
【００３９】
また、第１接続部４２と第２接続部４６との間を通過する第２リード線４８には保護部材５８が被せられているため、ヒータ線４０を傷付けたりすることがない。
【００４０】
また、第１リード線４４と第２リード線４８は、一つの引き出し孔７２から引き出されるため、縦仕切り体３０のサイズを小さくすることができ、組み立て作業性が向上する。
【００５２】
（６）変更例
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００５３】
１０・・・冷蔵庫、１２・・・冷蔵室、３０・・・縦仕切り体、３２・・・前壁、３４・・・本体、３６・・・熱伝導板、３８・・・断熱部材、４０・・・ヒータ線、４２・・・第１接続部、４４・・・第１リード線、４６・・・第２接続部、４８・・・第２リード線、５０・・・左収納凹部、５２・・・後収納凹部、５４・・・右収納凹部
【図１】
0005788159.tif 000002
【図２】
0005788159.tif 000003
【図３】
0005788159.tif 000004
【図４】
0005788159.tif 000005
【図５】
0005788159.tif 000006
【図６】
0005788159.tif 000007
【図７】
0005788159.tif 000008
【図８】
0005788159.tif 000009